(57)【特許請求の範囲】
【請求項１】
人が出入り可能な箱体と、
前記箱体の内側に設けられ、排泄に用いられる便器と、
板厚方向に通じる複数の通気孔により形成された表示を有し、前記箱体に設けられることで前記通気孔を通して前記箱体の内気と外気との換気を可能にする表示パネルとを備え、
前記箱体は、上下方向に延びる複数の支柱を有し、
前記表示パネルは一方の側の前記支柱と他方の側の前記支柱との間に跨って取り付けられることを特徴とする仮設トイレ。
【請求項２】
人が出入り可能な箱体と、
前記箱体の内側に設けられ、排泄に用いられる便器と、
板厚方向に通じる複数の通気孔により形成された表示を有し、前記箱体に設けられることで前記通気孔を通して前記箱体の内気と外気との換気を可能にする表示パネルとを備え、
前記箱体は、上下方向に延びる複数の支柱、及び、前記支柱と前記支柱との間を接続する横桟を有し、
前記表示パネルは、前記横桟の内側の面に取り付けられることを特徴とする仮設トイレ。
【請求項３】
表示パネルは、箱体の出入口側及びその側面側の少なくともいずれか一方に設けられることを特徴とする請求項１または２に記載の仮設トイレ。
【請求項４】
前記表示パネルと前記箱体とは別体で形成され、
前記表示パネルは、前記箱体に脱着可能に取り付けられることで、他の表示パネルと交換可能であることを特徴とする請求項１〜３のいずれか一項に記載の仮設トイレ。
【請求項５】
前記箱体の出入口に設けられる開閉可能なドアを備え、
前記表示パネルは、前記ドアより上側の位置に設けられることを特徴とする請求項１〜４のいずれか一項に記載の仮設トイレ。
【請求項６】
前記表示パネルと略同じ高さに設けられる照明を備えることを特徴とする請求項１〜５のいずれか一項に記載の仮設トイレ。
【請求項７】
前記照明を挟んで前記表示パネルと反対側に設けられる反射板を備えることを特徴とする請求項６に記載の仮設トイレ。
【発明の詳細な説明】
【技術分野】
【０００１】
本発明は、移動可能な仮設トイレに関する。
【背景技術】
【０００２】
従来より、建設現場、イベント会場等で使用される移動可能な仮設トイレが知られている。一般に仮設トイレは、樹脂からなる板材により人が出入り可能な箱体が形成され、その箱体の内側に便器が設けられる（特許文献１参照）。
この種の仮設トイレは、その外観に所有者又は管理者の名称が表示されていないので、第三者の無責任な使用により汚されることがあった。また、夜間には、遠く離れた場所から仮設トイレであることを直ちに識別できず、または男性用トイレであるか女性用トイレであるかを直ちに識別することができなかった。このため、利用者の利便性を欠くおそれがあった。
【先行技術文献】
【特許文献】
【０００３】
【特許文献１】特開２００６−２５７７９４号公報
【発明の概要】
【発明が解決しようとする課題】
【０００４】
ところで、仮設トイレには、箱体を形成する板材に開口が形成され、その開口にブラインド状の羽根板を平行に取り付けたガラリが取り付けられている。このガラリは、箱体の剛性の低下を抑制するため、板材の面積に対し小さく形成されている。このため、箱体内の換気が十分に行われず、臭気が充満することが懸念されていた。
本発明は、上記課題に鑑みてなされたものであり、その目的は、換気機能を有する表示パネルを備えた仮設トイレを提供することにある。
【課題を解決するための手段】
【０００５】
請求項１に係る発明によると、人が出入り可能な箱体の内側に、排泄に用いられる便器が設けられる。板厚方向に通じる複数の通気孔により形成された表示を有する表示パネルは、箱体に設けられ、通気孔を通して箱体内の換気を可能にする。
ここで、「表示」とは、表示パネルの通気孔により表された文字、図形、記号又はこれらに付された色彩などをいう。
この表示パネルに所有者又は管理者の名称を表示すれば、第三者の無責任な使用を抑制し清潔を保つと共に、この仮設トイレを企業の宣伝広告に利用可能である。
また、表示パネルに仮設トイレの利用者の性別等を表示すれば、仮設トイレの利便性を向上することができる。
さらに、表示パネルは、複数の通気孔を有する一枚の板材から形成されるので、従来のガラリと比較し、剛性が高い。このため、箱体の面積に対し表示パネルの面積を大きくすることが可能となる。したがって、仮設トイレの換気機能を高めることができる。
さらに、請求項１に係る発明によると、箱体は、上下方向に延びる複数の支柱を有している。表示パネルは、一方の側の支柱と他方の側の支柱との間に跨って取り付けられる。これにより、表示パネルの面積を大きくすることが可能になる。したがって、表示パネルの通気孔により仮設トイレの換気機能を高めることができる。
請求項２に係る発明によると、箱体は、支柱と支柱との間を接続する横桟を有する。この横桟の内側の面に表示パネルは取り付けられる。これにより、表示パネルの通気孔から雨が箱体内に降り込むことを抑制することができる。
【０００６】
請求項３に係る発明によると、表示パネルは、箱体の出入口側及びその側面側の少なくともいずれか一方に設けられる。これにより、表示パネルの換気機能と共に表示機能を高めることができる。
【０００７】
請求項４に係る発明によると、表示パネルと箱体とは別体で形成される。表示パネルは、箱体に脱着可能に取り付けられ、他の表示パネルと交換可能である。これにより、仮設トイレの所有者又は管理者の変更、又は利用者の性別の変更に伴い、表示パネルを交換することができる。
【００１０】
請求項５に係る発明によると、仮設トイレは、箱体の出入口に開閉可能なドアを備える。このドアより上側の位置に表示パネルは設けられる。これにより、表示パネルが人の背丈より高い位置に設けられるので、通気孔から箱体内の悪質な覗き見行為を抑制することができる。
なお、本明細書において、上側とは重力方向の上側をいう。また、下側とは重力方向の下側をいう。
【００１１】
請求項６に係る発明によると、仮設トイレは、表示パネルと略同じ高さに設けられる照明を備える。これにより、照明から照射される光が表示パネルの通気孔を略均等に通過するので、夜間等に表示パネルの表示を明確に示すことができる。
また、一般に夜間は仮設トイレの存在すらわかり難いが、表示パネルの通気孔を透過する光の明暗により、利用者は、仮設トイレの存在或いは表示の内容を容易に識別することができる。
【００１２】
請求項７に係る発明によると、仮設トイレは、照明を挟んで表示パネルの反対側に設けられる反射板を備える。これにより、反射板に反射した光が通気孔を通過することで、夜間等の表示パネルの表示を明るくすることができる。また、箱体内は、間接照明になることで、美観を向上することができる。
さらに、反射板により、通気孔から雨の降り込みを抑制すると共に、通気孔から箱体内の悪質な覗き見行為を防止することができる。
【図面の簡単な説明】
【００１３】
【図１】本発明の第１実施形態による仮設トイレの正面図である。
【図２】図１のＩＩ方向矢視図である。
【図３】図１のＩＩＩ方向矢視図である。
【図４】図１のＩＶ―ＩＶ線の断面図である。
【図５】図４のＶ部分の拡大図である。
【図６】図５のＶＩ−ＶＩ線の断面図である。
【図７】本発明の第２実施形態による仮設トイレの要部断面図である。
【図８】本発明の第３実施形態による仮設トイレの正面図である。
【図９】本発明の第４実施形態による仮設トイレの正面図である。
【図１０】本発明の第５実施形態による仮設トイレの要部断面図である。
【図１１】本発明の第６実施形態による仮設トイレの要部断面図である。
【発明を実施するための形態】
【００１４】
以下、本発明による実施形態を図面に基づいて説明する。
（第１実施形態）
本発明の第１実施形態による仮設トイレを図１〜図６に示す。図１〜図３は仮設トイレ１の外観図であり、図４〜図６は断面図である。
本実施形態の仮設トイレ１は、建設現場、工事現場、イベント会場、サービスエリア等で使用される移動可能な仮設トイレ１である。
【００１５】
仮設トイレ１は、汚物受槽１０、箱体２０、便器３０、水タンク４０、屋根５０及び表示パネル６０などを備えている。
汚物受槽１０は、樹脂から形成され、地面に設置される。汚物受槽１０には、人の出入りする出入口側に利用者が昇降可能なステップ１１が設けられている。汚物受槽１０に貯留される排泄物等は、吸出口１２からバキュームホース等により吸引される。
【００１６】
箱体２０は、汚物受槽１０の上側に図示しないボルト等により取り付けられる。
箱体２０は、上下方向に延びる４本の支柱２１、及び支柱２１と支柱２１との間に設けられる左右の側壁２２および出入口と反対側の奥壁２３を有し、人が出入り可能な大きさに形成される。
支柱２１は例えばアルミから形成される。側壁２２および奥壁２３も、例えばアルミから形成され、支柱２１に形成された溝に嵌め込まれることで、支柱２１に固定されている。
【００１７】
箱体２０の出入口側の支柱２１には、開閉可能なドア２４が設けられる。ドア２４の上側には、一方の支柱２１と他方の支柱２１とを接続する横桟２５が設けられている。側壁２２の上側にも、出入口側の横桟２５と同じ高さで、一方の支柱２１と他方の支柱２１とを接続する横桟２５が設けられている。
【００１８】
４本の支柱２１の上側には、屋根５０が設けられる。屋根５０は、例えば繊維強化プラスチック（ＦＲＰ）から形成される。
屋根５０の四隅には、仮設トイレ１を吊り下げ可能なアイボルト５３が取り付けられている。アイボルト５３は、屋根５０を貫通し、支柱２１にねじ止めされている。アイボルト５３により屋根５０が箱体２０に取り付けられる。
屋根５０は、出入口側に軒５１を有し、雨水がドア２４および表示パネル６０に降りかかることを抑制している。
【００１９】
表示パネル６０は、箱体２０の出入口側及びその側面側に設けられている。
箱体２０の出入口側の表示パネル６０は、ドア２４の上部の横桟２５と屋根５０との間に設けられている。表示パネル６０は、ドア２４の一方の支柱２１と他方の支柱２１との間に跨って取り付けられている。
箱体２０の側面側の表示パネル６０は、左右の側壁２２の上部の横桟２５と屋根５０との間に設けられている。表示パネル６０は、側壁２２の一方の支柱２１と他方の支柱２１との間に跨って取り付けられている。
【００２０】
表示パネルは、例えばアルミからなる一枚の板材から形成される。表示パネル６０の板厚は、例えば１２〜３ｍｍ、好ましくは９〜６ｍｍ程度に形成される。
表示パネル６０は、下側が、横桟２５の内側に例えばねじ６２等により取り付けられる。また、表示パネル６０は、上側が、屋根５０に設けられたフランジ５２に例えばねじ６３等により取り付けられる。これにより、表示パネル６０は、横桟２５の厚さ分、屋根５０の外縁より内側に設けられる。
【００２１】
表示パネル６０は、板厚方向に通じる複数の通気孔６１を有する。複数の通気孔６１は、上段の隣り合う通気孔６１と通気孔６１との間に、下段の通気孔６１が配置されている。これにより、表示パネル６０の面積に対し、通気孔６１の占める開口面積の割合を大きくすることが可能になる。また、トラス構造により表示パネル６０の強度低下を抑制することができる。
この複数の通気孔６１により、文字、図形、記号などの表示が形成される。本実施形態では、出願人の名称である「ＴＯＲＩＮＯ  トリノ」が表示されている。この表示は、表示パネル６０を他の表示パネルと交換することで、例えば管理者又は所有者の名称、或いは仮設トイレ１を利用可能な性別など、任意に変更可能である。
表示パネル６０の通気孔６１の内径は、雨の降り込み、又はハエ、アブなどの昆虫の侵入を抑制可能な大きさに形成される。通気孔６１の内径は、例えば１０〜１ｍｍ、好ましくは７〜３ｍｍ程度に形成される。この通気孔６１により、表示パネル６０は、箱体２０内の空気を換気することが可能となる。
【００２２】
箱体２０の内側に、フロアパネル２６，２７が上下２段に設けられる。その上側のフロアパネル２７に排泄に用いられる便器３０が取り付けられる。
上側のフロアパネル２７と汚物受槽１０との間に、便器３０を洗浄する水を貯留する水タンク４０が設けられる。水タンク４０には、水を給水可能な給水口４１などが設けられている。水タンク４０の水は、図示しないポンプにより汲み上げられ、便器３０の洗浄に用いられる。便器３０を洗浄した水は、汚物受槽１０に流れる。
【００２３】
奥壁２３には、表示パネル６０と略同じ高さに照明７０が設けられている。照明７０は、例えば蛍光灯などであり、夜間に自動点灯、又は利用者がスイッチをオンすることで点灯する。
【００２４】
本実施形態では、以下の作用効果を奏する。
（１）表示パネル６０は、その表示を複数の通気孔６１により形成することで、箱体２０内の空気を換気することが可能である。この表示パネル６０は、一方の側の支柱２１と他方の側の支柱２１との間に跨り、箱体２０の三方に取り付けられている。このため、従来のガラリと比較して、箱体２０に占める表示パネル６０の面積が大きくなるので、仮設トイレの換気機能を高めることができる。
（２）表示パネル６０の通気孔６１により所有者又は管理者の名称を表示することで、第三者の無責任な使用を抑制すると共に、美観に優れた仮設トイレを企業の宣伝広告に利用可能である。この表示パネル６０は、横桟２５に脱着可能に取り付けられるので、仮設トイレの所有者又は管理者の変更、又は利用者の性別の変更に伴い、表示パネル６０を交換することができる。
【００２５】
（３）表示パネル６０は、横桟２５の内側の面に取り付けられるので、表示パネル６０の通気孔６１から雨が箱体２０内に降り込むことを抑制することができる。
（４）表示パネル６０は、ドア２４の上側など、人の背丈より高い位置に設けられるので、通気孔６１から箱体２０内の悪質な覗き見行為を抑制することができる。
（５）表示パネル６０と略同じ高さに照明７０が設けられることで、照明７０から照射される光が表示パネル６０の通気孔６１を略均等に通過する。これにより、夜間等に表示パネル６０の表示機能を高め、仮設トイレ１の利便性を向上することができる。
【００２６】
（第２実施形態）
本発明の第２実施形態による仮設トイレを図７に示す。第２実施形態では、表示パネル６０が横桟２５に設けられた下レール２８、および屋根５０に設けられた上レール５４の間に嵌め込まれている。
表示パネル６０は、下記の要領で容易に脱着することが可能である。
上レール５４及び下レール２８から表示パネル６０を取り外すには、先ず表示パネル６０を上側に押し上げ、続いて箱体２０の内側に引き出す。
一方、上レール５４及び下レール２８に表示パネル６０を取り付けるには、先ず箱体２０の内側から表示パネル６０を上レール５４に嵌め込み、続いて下レール２８に表示パネル６０を嵌め込む。
本実施形態では、表示パネル６０の交換作業を容易に行うことが可能である。これにより、仮設トイレ２の所有者又は管理者の変更、又は利用者の性別の変更などに伴う表示パネル６０の交換の作業性を向上することができる。
【００２７】
（第３実施形態）
本発明の第３実施形態による仮設トイレを図８に示す。第３実施形態では、表示パネル６４に「男子トイレ」と表示されている。
本実施形態の仮設トイレ３は、表示パネル６４により、仮設トイレ３を利用可能な性別が明確になる。特に夜間には、箱体２０内の照明７０により「男子トイレ」の表示が鮮明に浮かび上がるので、仮設トイレ３の利便性を向上することができる。
なお、表示パネル６４に蛍光塗料を塗装することで、その表示機能を高めてもよい。
【００２８】
（第４実施形態）
本発明の第４実施形態による仮設トイレを図９に示す。第４実施形態では、表示パネル６５に「女子トイレ」と表示されている。表示パネル６５は、文字の背景となる部分に通気孔６１を形成している。
本実施形態では、表示する文字、図形又は記号の占める面積が表示パネル全体の面積に対して小さい場合、表示パネル６５の換気機能を高めることができる。
本実施形態の仮設トイレ４は、背景と文字等のいずれか一方に通気孔６１を形成するとした表示パネル６５の表示方法の切り替えにより、例えば夏季または冬季などに仮設トイレ４の換気機能の調節を容易に行うことができる。
【００２９】
（第５実施形態）
本発明の第５実施形態による仮設トイレを図１０に示す。第５実施形態では、屋根５０内側の略中央部分に照明７１が設けられている。これにより、照明７１は、箱体２０の三方に設けられた表示パネル６０に均等に光を照射することができる。
本実施形態の仮設トイレ５は、夜間等に表示パネル６０の表示機能を高め、仮設トイレ５の利便性を向上することができる。
【００３０】
（第６実施形態）
本発明の第６実施形態による仮設トイレを図１１に示す。第６実施形態では、表示パネル６０の内側に反射板７２が設けられている。反射板７２は、横桟２５に取り付けられている。
反射板７２と表示パネル６０との間には照明７３が設けられている。照明７３の照射する光は、反射板７２によって反射し、箱体２０内を照らす。
また、照明７３の照射する光は、表示パネル６０の通気孔６１を通過し、表示パネル６０の表示機能を高める。
本実施形態の仮設トイレ６は、反射板７２により、通気孔６１から雨の降り込みを抑制すると共に、通気孔６１から箱体２０内の悪質な覗き見行為を防止することができる。
【００３１】
（他の実施形態）
上述した実施形態では、箱体２０の側壁２２およびドア２４と表示パネル６０とを別体で形成した。これに対し、本発明は、箱体の側壁およびドアと表示パネルとを一体に形成してもよい。
上述した実施形態では、軽水洗便槽付の仮設トイレについて説明した。これに対し、本発明は、自動水洗式の仮設トイレに適用してもよい。
上述した実施形態では、表示パネルをアルミ板から形成した。これに対し、本発明は、表示パネルを光透過性または非光透過性の板材から形成してもよい。これにより、表示パネルの表示機能を高めることができる。
このように、本発明は、上述した実施形態に限定されることなく、特許請求の範囲に記載された発明の趣旨に基づき種々の実施形態に適用することができる。
【符号の説明】
【００３２】
１，２，３，４，５，６・・・仮設トイレ
２０                  ・・・箱体
２１                  ・・・支柱
２５                  ・・・横桟
２４                  ・・・ドア
３０                  ・・・便器
６０，６４，６５      ・・・表示パネル
６１                  ・・・通気孔
７０，７１，７３      ・・・照明
７２                  ・・・反射板
【図１】
0005676185.tif 000002
【図２】
0005676185.tif 000003
【図３】
0005676185.tif 000004
【図４】
0005676185.tif 000005
【図５】
0005676185.tif 000006
【図６】
0005676185.tif 000007
【図７】
0005676185.tif 000008
【図８】
0005676185.tif 000009
【図９】
0005676185.tif 000010
【図１０】
0005676185.tif 000011
【図１１】
0005676185.tif 000012